(57)【特許請求の範囲】
【請求項１】
熱可塑性樹脂板の表層部に導電性ネットを半露出状態で埋入して導電層を形成した双方の電磁波シールド板を直角に配置し、一方の電磁波シールド板の端面を他方の電磁波シールド板の端縁部表面に接着剤で接合すると共に、この直角接合部の内側に、直角三角形又は四角形の断面を備えた合成樹脂棒からなり且つその少なくとも直角コーナー部を挟む二側面を連続した導電面に構成した導電性接合材を取付けて、該二側面を双方の電磁波シールド板表層部の導電層に接触させたことを特徴とする電磁波シールド板の接合構造。
【請求項２】
熱可塑性樹脂板の表層部に導電性ネットを半露出状態で埋入して導電層を形成した双方の電磁波シールド板を直角に配置し、一方の電磁波シールド板の端面を他方の電磁波シールド板の端縁部表面に接着剤で接合した直角接合部の内側に取付ける接合材であって、直角三角形又は四角形の断面を備えた合成樹脂棒からなり且つその少なくとも直角コーナー部を挟む二側面を連続した導電面に構成したことを特徴とする導電性接合材。
【発明の詳細な説明】
【０００１】
【発明の属する技術分野】
本発明は、電磁波シールド板の接合構造と、これに用いる導電性接合材に関する。
【０００２】
【従来の技術】
本出願人は、導電性ネットを合成樹脂板の表層部に半露出状態で埋入した電磁波シールド板を開発した。この電磁波シールド板は、導電性ネットを半露出状態で埋入しているため、容易に接地できるという利点を有するものである。
【０００３】
【発明が解決しようとする課題】
しかしながら、上記の電磁波シールド板を接着剤で直角に接合することによって、例えば電気機器のケーシングやプリント配線基板の検査治具カバーを製作すると、直角接合部でシールド板の導電性ネットの導通が遮断されて、電磁波シールド機能が低下するため、電気機器や検査治具が外部からの電磁波によって誤動作する恐れがあった。
【０００４】
そこで、電磁波シールド板の直角接合部の導通を図るために、導電塗料、導電性フィラーを練り込んだゴム製の帯状体などが提案されているが、前者の導電塗料は、直角接合部に均一に塗布できないとか、均一に塗布できないため外観が悪いとか、有機溶剤により環境衛生が損なわれるとか、作業性が悪いとかいった問題があり、後者の帯状体は、直角接合部に沿って直線的に取付けにくく、体裁も作業性も悪いという問題があった。
【０００５】
本発明は上記の問題に鑑みなされたもので、電磁波シールド板の直角接合部の導通性を確保でき、体裁が良好で、施工の容易な電磁波シールド板の接合構造と、それに用いる導電性接合材を提供することにある。
【０００６】
【課題を解決するための手段】
上記目的を達成するため、本発明の請求項１に係る電磁波シールド板の接合構造は、熱可塑性樹脂板の表層部に導電性ネットを半露出状態で埋入して導電層を形成した双方の電磁波シールド板を直角に配置し、一方の電磁波シールド板の端面を他方の電磁波シールド板の端縁部表面に接着剤で接合すると共に、この直角接合部の内側に、直角三角形又は四角形の断面を備えた合成樹脂棒からなり且つその少なくとも直角コーナー部を挟む二側面を連続した導電面に構成した導電性接合材を取付けて、該二側面を双方の電磁波シールド板表層部の導電層に接触させたことを特徴とするものである。
【０００７】
このように、導電面に構成した接合材の直角コーナー部を挟む二側面を、双方の電磁波シールド板表層部の導電層に接触させて、導電性接合材を直角接合部の内側に取付けると、双方の電磁波シールド板の導電層が接合材の二側面を介して確実に導通されるので、電磁波シールド機能の低下は生じなくなる。また、この導電性接合材によって、電磁波シールド板の直角接合部が内側から支持されて補強されるため、直角接合部の強度も一層向上する。
【０００８】
本発明の請求項２に係る導電性接合材は、上記のように熱可塑性樹脂板の表層部に導電性ネットを半露出状態で埋入して導電層を形成した双方の電磁波シールド板を直角に配置し、一方の電磁波シールド板の端面を他方の電磁波シールド板の端縁部表面に接着剤で接合した直角接合部の内側に取付ける接合材であって、直角三角形又は四角形の断面を備えた合成樹脂棒からなり且つその少なくとも直角コーナー部を挟む二側面を連続した導電面に構成したことを特徴とするものである。
【０００９】
斯かる導電性接合材は、上述したように導電面に構成した二側面を双方の電磁波シールド板表層部の導電層に接触させることにより、導電層を確実に導通させて良好な電磁波シールド機能を発揮させることができ、また、電磁波シールド板の直角接合部を内側から支持してこの接合部の強度を一層向上させることもできる。
【００１０】
本発明の導電性接合材にあっては、接合材の長手方向の少なくとも一部において、その直角コーナー部を挟む二側面を連続した導電面に構成してもよい。
【００１１】
斯かる導電性接合材は、接合材の長手方向の少なくとも一部の導電面を双方の電磁波シールド板表層部の導電層に接触させることができるので、上記の如く導電層を導通させて良好な電磁波シールド効果を得ることができると共に、導電面に構成された部分を除く直角コーナー部を挟む二側面を直角接合部と直接接着でき、接合材の直角接合部への接合性及び直角接合部の接合強度も向上するものである。また、導電面に構成する面積が少なくてすむので、接合材の作業がやり易くなる。
【００１２】
接合材の二側面を連続した導電面に構成する手段としては、接合材の直角コーナー部を挟む一方の側面から他方の側面に亘って導電性の表面材を取着するという手段を採用するのが良いが、接合材に導電粉を均一に含有させるという手段を採用して、接合材の二側面と他の側面を全て導電面に構成するようにしてもよい。
【００１３】
表面材の取着によって接合材の二側面を連続した導電面に構成する場合には、接合材の直角コーナー部を挟む一方の側面から他方の側面に亘って、表面材として導電性両面粘着テープを貼着するか、或は、表面材として導電性ネットを半露出状態で埋着するのが良い。特に、導電性両面粘着テープを貼着すると、該テープの粘着力によって接合材を電磁波シールド板の直角接合部の内側に簡単に取付けることができる。
【００１４】
更に、接合材の直角コーナー部を挟む二側面の該直角コーナー部と反対側の端縁部分を除いて導電面に構成するようにしてもよい。斯かる導電性接合材も、端縁部分を接着などして電磁波シールド板に確実に接合でき、導電性機能を確実に発揮できる。また、電磁波シールド板の直角接合部の強度を一層向上させることができる。
【００１５】
導電性接合材の直角コーナー部と反対側の端縁部分を除いて二側面を導電面に構成する手段としては、接合材の直角コーナー部を挟む二側面の該直角コーナー部と反対側の端縁部分を除いて導電性両面粘着テープを貼着するか、或は、接合材の直角コーナー部を挟む二側面の該直角コーナー部と反対側の端縁部分を除いて導電性ネットを半露出状態で埋着することが望ましい。
【００１７】
尚、本発明にいう「直角コーナー部」とは、接合材の直角な角を斜めに削り取った形状のものまで含む広い概念の用語である。
【００１８】
【発明の実施の形態】
以下、図面を参照して本発明の具体的な実施形態を詳述する。
【００１９】
図１は本発明の一実施形態に係る電磁波シールド板の接合構造を示す斜視図、図２は同接合構造の拡大要部断面図、図３は同接合構造に使用される本発明の導電性接合材を一部拡大して示す断面図である。
【００２０】
この実施形態の接合構造は、図１及び図２に示すように双方の電磁波シールド板１，１を直角に配置し、一方の電磁波シールド板１の端面を他方の電磁波シールド板の端縁部表面に接着剤（不図示）で接合し、この直角接合部の内側に導電性接合材２を取付けたものである。
【００２１】
電磁波シールド板１は、塩化ビニル樹脂、アクリル樹脂、ポリカーボネート樹脂、ポリエチレンテレフタレート樹脂などの透明な熱可塑性樹脂板の表層部に導電性ネット３を半露出状態で埋入したもので、この導電性ネット３が内側となるように電磁波シールド板１，１を直角に接合している。
【００２２】
ここに、「半露出状態」とは、導電性ネット３を構成する導電素線の一部が電磁波シールド板１の表面に略面一に露出した状態のもの、また、導電性ネットの素線が表層部の面より露出した状態のもの、もしくは、表層部の面より埋入しているものであっても表層部で導電性機能を発揮する構成のものであれば、導電性ネットの素線の半露出状態の概念に包含されるものとする。
【００２３】
導電性ネット３としては、例えばポリエチレンテレフタレートなどのポリエステル系樹脂の芯線にニッケルや銅などの金属を単層又は複層に被覆して成る導電素線を用いて６０〜１５０メッシュ程度に製網したものが好適に使用される。かかる導電性ネット３は柔軟で強度があり、しかも、導電素線がニッケルにより耐食性を有するといった利点があるからである。
【００２４】
なお、電磁波シールド板の表層部の導電層は導電性ネットに限定されるものではなく、導電性ネットに代えてスパッタリングや金属蒸着やコーティング等によって得られる導電性機能を有するその他の導電層を形成したものを適宜必要に応じて用いてもよい。
【００２５】
一方、この実施形態の接合構造に用いる本発明の導電性接合材２は、図１〜図３に示すように直角二等辺三角形の断面形状を有する塩化ビニル樹脂、アクリル樹脂、ポリエチレンテレフタレート樹脂などの合成樹脂棒からなるもので、その直角コーナー部を挟む一方の側面から他方の側面に亘って導電性両面粘着テープ４を接合材の全長に亘って貼着することにより、直角コーナー部を挟む二側面を連続した導電面に構成したものである。この接合材２の大きさについては制限されないが、例えば、直角コーナー部を挟む二側面の幅寸法が２〜１０ｍｍ程度の接合材２とするのが適当である。
【００２６】
図３に一部拡大して示すように、この導電性両面粘着テープ４は、銅箔、ステンレス箔、アルミニウム箔などの金属箔４ａの両面に導電性粘着層４ｂ，４ｂを設けたもので、該テープ４は内側の導電性粘着層４ｂの粘着力によって接合材２の二側面に貼着されており、外側の導電性粘着層４ｂは剥離紙４ｃで被覆されている。
【００２７】
導電性両面粘着テープ４の金属箔４ａは４０〜１５０μｍ程度の厚さを有するものが好ましく、４０μｍより薄い金属箔を用いると導電性や引張り強度が低下するといった不都合を生じ、１５０μｍより厚い金属箔を用いるとコストが高くなる。また、導電性粘着層４ｂは、粘着性を有するアクリル系樹脂やエポキシ系樹脂などに銀粉や銅粉などの導電性金属粉を含有させて、表面抵抗を０．００１〜０．１Ω／□に調節した層であり、２００〜８００ｇｆ／ｃｍの粘着力が得られる厚さに形成されている。
【００２８】
この実施形態の接合構造は、上記導電性接合材２の導電性両面粘着テープ４の剥離紙４ｃを剥離し、外側の導電性粘着層４ｂの粘着力を利用して、電磁波シールド板１，１の直角接合部の内側に導電性接合材２を貼着することにより、該接合材２の直角コーナー部を挟む二側面の導電性両面粘着テープ４を双方の電磁波シールド板表層部の導電性ネット３，３に接触させたものである。
【００２９】
このように接触させると、双方の電磁波シールド板１，１の導電性ネット３，３が、接合材２の導電性両面粘着テープ４を介して確実に導通するため、良好な電磁波シールド機能を発揮することができる。また、電磁波シールド板１，１の直角接合部は、貼着された導電性接合材２により内側から支持されて補強されるため、直角接合部の強度が一層向上する。しかも、導電性接合材２は導電性両面粘着テープ４の粘着力で簡単に貼着できるものであるため、作業性が極めて良好であり、また、直角接合部に沿ってまっすぐに貼着できるので、体裁も良好である。
【００３０】
図４は本発明の他の実施形態に係る導電性接合材を一部拡大して示す断面図、図５は同接合材を用いた電磁波シールド板の接合構造を示す断面図である。
【００３１】
この導電性接合補強材２０は、正四角形の断面形状を有する上述の二等辺三角形のものと同じ合成樹脂の樹脂棒からなるもので、一つの直角コーナー部を挟む一方の側面から他方の側面に亘って、前述の導電性両面粘着テープ４を接合材２の長手方向全長に亘って貼着することにより、二側面を連続した導電面に構成したものである。
【００３２】
斯かる導電性接合材２０も、前記接合材２と同様に剥離紙４ｃを剥離し、導電性両面粘着テープ４の粘着力で電磁波シールド板１，１の直角接合部の内側に貼着して、該テープ４を電磁波シールド板表層部の導電性ネット３，３に接触させることにより、導電性ネット３，３を確実に導通させて良好な電磁波シールド機能を発揮させることができる。また、この貼着した導電性接合材２０によって電磁波シールド板１，１の直角接合部を内側から支持し、直角接合部の強度を一層向上させることができる。
【００３３】
以上の二つの実施形態に係る導電性接合材２，２０は、直角三角形の断面形状と四角形の断面形状を有するものであるが、本発明の導電性接合材はこれらの形状に限定されるものではなく、少なくとも直角コーナー部を挟む二側面を有する形状であればよい。ここに「直角コーナー部」とは、接合材の直角な角を斜めに削り取った形状のものまで含む広い概念の用語であり、従って、図１０に示すような断面形状の導電性接合材２１なども本発明に包含される。
【００３４】
即ち、図１０に示す導電性接合材２１は、直角二等辺三角形の直角コーナー部を斜めに切断した断面形状を有する合成樹脂棒からなるもので、その切断された直角コーナー部を挟む一方の側面から他方の側面に亘って、前述の導電性両面粘着テープ４を貼着することにより、二側面と斜めの切断面を連続した導電面に構成したものである。このような導電性接合材２１も、前記接合材２，２０と同様に電磁波シールド板の直角接合部の内側に貼着され、良好な電磁波シールド機能と補強作用を発揮できるものである。
【００３５】
図６は本発明の更に他の実施形態に係る導電性接合材を一部拡大して示す断面図である。
【００３６】
この導電性接合材２２は、直角二等辺三角形の断面形状を有する上述のものと同様な合成樹脂の樹脂棒からなるもので、その直角コーナー部を挟む一方の側面から他方の側面に亘って、導電性ネット５を半露出状態で接合材２２の長手方向全長に亘って埋着することにより、二側面を連続した導電面に構成したものである。
【００３７】
この導電性ネット５は、電磁波シールド板１の表層部に埋入された前述の導電性ネット３と同じもの、即ち、ポリエチレンテレフタレートなどのポリエステル系樹脂の芯線（線径が３０〜５０μｍ程度のもの）に、ニッケル、銅、錫などの金属を単層又は複層に被覆して成る導電素線を用いて製網（平織）したものであり、６０〜１５０メッシュ程度の網目を有するネットが好適に使用される。なお、「半露出状態」の意味は前述した通りである。
【００３８】
斯かる導電性接合材２２は、二側面の直角コーナー部と反対側の端縁部のみに接着剤を付けて、電磁波シールド板の直角接合部の内側に接着し、二側面の導電性ネット５（接着剤が付いていない部分）を双方の電磁波シールド板表層部の導電性ネットに接触させて導通をとることにより、良好な電磁波シールド機能を発揮させることができる。また、この導電性接合材２２の接着によって電磁波シールド板の直角接合部が内側から支持されるため、直角接合部の強度が一層向上する。
【００３９】
図７は本発明の更に他の実施形態に係る導電性接合材を一部拡大して示す断面図である。
【００４０】
この導電性接合材２３は、正四角形の断面形状を有する合成樹脂棒からなるもので、その一つの直角コーナー部を挟む一方の側面から他方の側面に亘って前記の導電性ネット５を半露出状態で接合材２３の長手方向全長に亘って埋着することにより、二側面を連続した導電面に構成したものである。
【００４１】
このような導電性接合材２３も、前記接合材２２と同様に電磁波シールド板の直角接合部の内側に接着剤で接着され、良好な電磁波シールド機能と補強作用を発揮できることは言うまでもない。
【００４２】
以上の実施形態の導電性接合材はいずれも、直角を挟む二側面が長手方向全長に亘って導電面に構成されているが、二側面の長手方向の一部を導電面に構成してもよい。図１２はそのような実施形態の導電性接合材を示す斜視図である。
【００４３】
即ち、この導電性接合材２７は、直角二等辺三角形の断面形状を有する合成樹脂棒からなるもので、その長手方向の二箇所において、直角コーナー部を挟む二側面に前述した導電性両面粘着テープ４を帯状に貼着することにより、二箇所において二側面を連続した導電面に構成したものである。この実施形態では、長手方向の二箇所で導電面を構成しているが、少なくとも長手方向の一箇所において導電面に構成すれば良い。
【００４４】
このような導電性接合材２７は、二側面の導電面に構成されていない部分（導電性両面粘着テープ４が貼着されてない部分）を電磁波シールド板の直角接合部の内側に接着剤で強固に接着できるので、直角接合部の強度を向上させることができ、しかも、導電性両面粘着テープ４の貼着によって導電面に構成された二箇所を電磁波シールド板表層部の導電層に接触させて確実に導通をとり、良好な電磁波シールド効果を発揮させることができる。
【００４５】
図８は本発明の更に他の実施形態に係る導電性接合材を一部拡大して示す断面図である。
【００４６】
この導電性接合材２４は、直角二等辺三角形の断面形状を有する合成樹脂棒からなるもので、その直角コーナー部を挟む二側面の該直角コーナー部と反対側の端縁部分２４ａ，２４ａを除いて前述の導電性両面粘着テープ４を貼着し、該端縁部分２４ａ，２４ａが導電性両面粘着テープ４と略面一となるように該端縁部分２４ａ，２４ａを段状に突出させて形成したものである。
【００４７】
斯かる構成の導電性接合材２４は、段状に形成した端縁部分２４ａ，２４ａを接着面として、これに接着力の大きい接着剤を塗布すると共に、導電性両面粘着テープ４の剥離紙を剥離して、電磁波シールド板の直角接合部の内側に圧接することにより、上記の接着剤と両面粘着テープ４の粘着力によって強固に接着できるため、直角接合部の顕著な補強効果を発揮することができる。そして、上記のように接着すると、導電性両面粘着テープ４と端縁部分２４ａ，２４ａが略面一であるため、該テープ４が確実に電磁波シールド板表層部の導電性ネットに粘着して導通し、良好な電磁波シールド機能を発揮することができる。
【００４８】
なお、本実施形態において、導電性両面粘着テープ４の厚みが薄い場合、端縁部分２４ａ，２４ａを段状に突出する必要はなく、接着剤を塗布して直角接合部に押圧することにより、テープ４を押しつぶして接着できるため、接合剤２４の導電性両面粘着テープ４の粘着面と端縁部分２４ａ，２４ａの面を面一としておいてよい。
【００４９】
図９は本発明の更に他の実施形態に係る導電性接合材を一部拡大して示す断面図である。
【００５０】
この導電性接合材２５は、正四角形の断面形状を有する合成樹脂棒からなるもので、その一つの直角コーナー部を挟む二側面の該直角コーナー部と反対側の端縁部分２５ａ，２５ａを除いて前述の導電性ネット５を半露出状態で埋着したものである。
【００５１】
斯かる構成の導電性接合材２５も、端縁部分２５ａ，２５ａを接着面として、これに接着力の大きい接着剤を塗布して接合することにより、電磁波シールド板の直角接合部の内側に強固に接着できるため、直角接合部を充分に補強することができる。そして二側面の導電性ネット５を双方の電磁波シールド板表層部の導電性ネットに接触させて導通をとり、良好な電磁波シールド機能を発揮することができる。
【００５２】
以上説明した実施形態の導電性接合材２，２０，２１，２２，２３，２４，２５，２７はいずれも、直角コーナー部を挟む二側面を連続した導電面に構成する手段として、導電性両面粘着テープ４や導電性ネット５などの導電性の表面材を二側面に取着したものであるが、これ以外に、導電性の表面材として例えば導電塗料などを二側面に塗布するようにしてもよい。また、導電性の表面材を使用しないで、接合材に導電粉を均一に含有させることにより、接合材の二側面と他の側面を全て導電面に構成するようにしてもよい。
【００５３】
図１１は後者の実施形態に係る導電性接合材２６の断面図であって、このものは直角二等辺三角形の断面形状を有する合成樹脂棒に銀粉、銅粉、カーボン粉などの導電粉６を均一に含有させることによって、その直角コーナー部を挟む二側面と他の斜側面の全てを、表面抵抗が０．１〜１００Ω／□程度の導電面に構成したものである。
【００５４】
このような導電性接合材２６は、二側面の直角コーナー部と反対側の端縁部分に接着剤を付けて、電磁波シールド板の直角接合部の内側に接着し、二側面を双方の電磁波シールド板表層部の導電性ネットに接触させて導通をとることにより、良好な電磁波シールド機能を発揮させることができる。また、この接着された導電性接合材２６によって電磁波シールド板の直角接合部を内側から支え、直角接合部を一層補強することができる。
【００５５】
図１３は、本発明の電磁波シールド板の接合構造を適用して製作したプリント配線基板検査治具の箱型のカバーを示す概略断面図である。
【００５６】
このカバー７は、前述した電磁波シールド板１をその導電性ネット（不図示）が内側となるように接着剤で方形枠状に接合することによって、カバーの四周の側壁７ａを形成すると共に、その上に電磁波シールド板１の天板７ｂを導電性ネットが下側となるように重ねて接着し、この天板７ｂと四周の側壁７ａとの直角接合部の内側に前述した導電性接合材２を貼着して製作されたものであり、プリント配線基板の検査治具８の上に蝶番９で開閉自在に取付けられている。
【００５７】
このカバー７は、四周の側壁７ａの導電性ネット（不図示）と天板７ｂの導電性ネット（不図示）が導電性接合材２の二側面の導電性両面粘着テープ（不図示）によって導通され、蝶番９の止具９ａを介して該蝶番９の部分でアースされているため、良好な電磁波シールド機能を発揮し、検査治具８の誤動作を防止することがでる。そして、四周の側壁７ａと天板７ｂとの直角接合部は、内側から貼着された導電性接合材２によって補強されているため、このカバー７を繰り返し開閉しても、側壁７ａや天板７ｂが分解して壊れる心配は殆どない。
【００５８】
このように、本発明の接合構造を適用して製作したカバーやケースは、良好な電磁波シールド機能と大きい強度を有するため、電気機器類や検査治具などの電磁波シールドカバーや電磁波シールドケースとして極めて好適に使用することができる。
【００５９】
次に、本発明の更に具体的な実施例と比較例を説明する。
【００６０】
［実施例］
直角を挟む二辺の長さが３ｍｍである直角二等辺三角形の断面形状を備えた塩化ビニル樹脂棒を準備し、この樹脂棒の直角コーナー部を挟む一方の側面から他方の側面に亘って、導電性両面粘着テープ（厚さ７６μｍの銅箔の両面に、銀粉を含有させた表面抵抗が約０．００１Ω／□のアクリル系の導電性粘着層を設けたもの）を貼着することにより、導電性接合材を製作した。
【００６１】
一方、線径４０μｍのポリエステル線維を銅とニッケル及び錫で被覆した導電素線を用いて１３５メッシュの導電性ネットを平織し、この導電性ネットを厚さ１０ｍｍの塩化ビニル樹脂板の表層部に半露出状態で埋設して電磁波シールド板を製作した。
【００６２】
そして、この電磁波シールド板を導電性ネットが内側となるように溶剤系接着剤［タキボンド２００（テトラヒドロフランとメチルエチルケトンの混合溶剤を使用したタキロン（株）製の溶剤系接着剤の商品名）］で直角に接合すると共に、この直角接合部の内側に上記の導電性接合材を貼着し、直角接合部からそれぞれ７ｍｍ離れた電磁波シールド板表面の二点間で表面抵抗を測定した。その結果、二点間の表面抵抗は３．３Ωと低く、双方の電磁波シールド板が充分に導通されていることが確認できた。
【００６３】
［比較例］
比較のために、上記の実施例で製作した電磁波シールド板を上記の溶剤系接着剤で直角に接合し、この直角接合部からそれぞれ７ｍｍ離れた電磁波シールド板表面の二点間で表面抵抗を測定した。その結果、二点間の表面抵抗は極めて高く、測定が不可能であり、双方の電磁波シールド板が殆ど導通されていないことが判明した。
【００６４】
更に、この電磁波シールド板の直角接合部に銅粉を含んだ導電塗料を塗布し、同様に電磁波シールド板表面の二点間の測定した。その結果、二点間の表面抵抗は３００Ωであり、本発明の導電性接合材を貼着したものよりも、かなり高い値であった。
【００６５】
【発明の効果】
以上の説明から明らかなように、本発明の導電性接合材、及び、これを用いた本発明の電磁波シールド板の接合構造は、双方の電磁波シールド板の直角接合部を確実に導通させて、良好な電磁波シールド機能を発揮させることができ、直角接合部を内側から支持して強度を一層向上させることもでき、施工しやすく体裁も良いなど、優れた効果を奏する。
【図面の簡単な説明】
【図１】本発明の一実施形態に係る電磁波シールド板の接合構造を示す斜視図である。
【図２】同接合構造の拡大要部断面図である。
【図３】本発明の一実施形態に係る導電性接合材を一部拡大して示す断面図である。
【図４】本発明の他の実施形態に係る導電性接合材を一部拡大して示す断面図である。
【図５】本発明の他の実施形態に係る電磁波シールド板の接合構造を示す断面図である。
【図６】本発明の更に他の実施形態に係る導電性接合材を一部拡大して示す断面図である。
【図７】本発明の更に他の実施形態に係る導電性接合材を一部拡大して示す断面図である。
【図８】本発明の更に他の実施形態に係る導電性接合材を一部拡大して示す断面図である。
【図９】本発明の更に他の実施形態に係る導電性接合材を一部拡大して示す断面図である。
【図１０】本発明の更に他の実施形態に係る導電性接合材の断面図である。
【図１１】本発明の更に他の実施形態に係る導電性接合材の断面図である。
【図１２】本発明の更に他の実施形態に係る導電性接合材の斜視図である。
【図１３】本発明の電磁波シールド板の接合構造を適用して製作したプリント配線基板検査治具の箱型のカバーを示す概略断面図である。
【符号の説明】
１  電磁波シールド板
２，２０，２１，２２，２３，２４，２５，２６，２７  導電性接合材
２４ａ，２５ａ  導電性接合材の端縁部分
３  電磁波シールド板の表層部の導電性ネット
４  導電性両面粘着テープ
４ａ  金属箔
４ｂ  導電性粘着層
４ｃ  剥離紙
５  導電性ネット
６  導電粉
７  プリント配線基板検査治具のカバー
７ａ  四周の側壁
７ｂ  天板
【図１】
0003666719.tif 000002
【図２】
0003666719.tif 000003
【図３】
0003666719.tif 000004
【図４】
0003666719.tif 000005
【図５】
0003666719.tif 000006
【図６】
0003666719.tif 000007
【図７】
0003666719.tif 000008
【図８】
0003666719.tif 000009
【図９】
0003666719.tif 000010
【図１０】
0003666719.tif 000011
【図１１】
0003666719.tif 000012
【図１２】
0003666719.tif 000013
【図１３】
0003666719.tif 000014